(57)【特許請求の範囲】
【請求項１】
第一脚柱の端部にある筒状の第一連結部に設けられた一対の対向した第一係合孔と該第一脚柱に連結される該第二脚柱の端部にあり該第一連結部に外嵌される筒状の第二連結部に設けられ該第一係合孔に整合する一対の対向した第二係合孔とに嵌通され得る一対のロックピンと、
該一対のロックピン間を架橋する架橋帯とを備え、
該第一連結部に収容されて該第一脚柱と該第二脚柱の連結を拘束し得る連結拘束具であって、
前記ロックピンは、金属製の帯状片の端部側の凸状の突起であり、
前記架橋帯は、曲げ形状を有する該帯状片の中央側であり、
前記ロックピンは、円筒部と、該円筒部から該凸状の突起の先端側へ連なる嵌入誘導面と、該円筒部から該凸状の突起の先端側へ連なると共に該嵌入誘導面の両側に連なる解除誘導面とを備え、
該嵌入誘導面は、前記第一連結部に前記第二連結部を嵌入する際に該第二連結部の内周端縁に摺接して該ロックピンを該第一連結部の内側へ退避誘導し、
該解除誘導面は、前記第一係合孔と前記第二係合孔の拘束を解除する際に該第二係合孔の内周端縁に摺接して該ロックピンを該第一連結部の内側へ退避誘導することを特徴とする連結拘束具。
【請求項２】
前記架橋帯は、
略中央で前記帯状片を湾曲させた湾曲部と、
該湾曲部と前記ロックピンの中間で該帯状片を屈曲させた屈曲部と、
を備える請求項１に記載の連結拘束具。
【請求項３】
さらに、前記ロックピンから前記帯状片の先端側へ延在し、前記第一係合孔および前記第二係合孔に嵌通している該ロックピンの姿勢を安定させる先延部を有する請求項１または２に記載の連結拘束具。
【発明の詳細な説明】
【技術分野】
【０００１】
本発明は、建設現場の仮設足場等に用いられる脚柱の連結を拘束する連結拘束具に関する。
【背景技術】
【０００２】
建設現場の仮設足場等は、管状の脚柱を複数連結して組み立てられることが多い。この脚柱の連結は、一方の脚柱の端部に設けた短管ジョイント（連結部）に、他方の脚柱の端部（連結部）を外嵌してなされる。
【０００３】
この際、脚柱間の連結を安定的に維持するために、それらの連結部分にロックピンを嵌通させて、その連結を拘束する連結拘束具が用いられる。この連結拘束具には種々の形態があり、例えば下記の特許文献に関連した記載がある。
【先行技術文献】
【特許文献】
【０００４】
【特許文献１】特開平７−１６６６９５号公報
【特許文献２】特開平１０−１８３９９０号公報
【特許文献３】特開２００５−２０７５３５号公報
【発明の概要】
【発明が解決しようとする課題】
【０００５】
特許文献１には、別々に製作された一対のロックピンとそれらを架橋する架橋片を結合した連結拘束具に関する記載がある。この連結拘束具は、複雑な形状のロックピンや架橋片を別々に製作した後に結合して製造されるため、製造コストが高い。
【０００６】
特許文献２および特許文献３には、金属板を特有な形状に打抜き（または切断）した板片を、複雑に折曲げてロックピン等を形成した連結拘束具に関する記載がある。この連結拘束具は、板材の打抜形状が特有であるため材料歩留りが悪く、また、複雑な折曲げに多くの工数を要し、やはり製造コストが高い。
【０００７】
本発明はこのような事情に鑑みて為されたものであり、脚柱同士の連結を確実に拘束できるのみならず、従来よりも低コストで製造できる連結拘束具を提供することを目的とする。
【課題を解決するための手段】
【０００８】
本発明者はこの課題を解決すべく鋭意研究し、試行錯誤を重ねた結果、短冊状の金属片の端部側を絞り加工してロックピンを形成した後、その中間側を曲げ加工することにより連結拘束具が容易に得られることを思いついた。この成果を発展させることにより、以降に述べる本発明を完成するに至った。
【０００９】
《連結拘束具》
（１）本発明の連結拘束具は、第一脚柱の端部にある筒状の第一連結部に設けられた一対の対向した第一係合孔と該第一脚柱に連結される該第二脚柱の端部にあり該第一連結部に外嵌される筒状の第二連結部に設けられ該第一係合孔に整合する一対の対向した第二係合孔とに嵌通され得る一対のロックピンと、該一対のロックピン間を架橋する架橋帯とを備え、該第一連結部に収容されて該第一脚柱と該第二脚柱の連結を拘束し得る連結拘束具であって、前記ロックピンは、金属製の帯状片の端部側の凸状の突起であり、前記架橋帯は、曲げ形状を有する該帯状片の中央側であり、前記ロックピンは、円筒部と、該円筒部から該凸状の突起の先端側へ連なる嵌入誘導面と、該円筒部から該凸状の突起の先端側へ連なると共に該嵌入誘導面の両側に連なる解除誘導面とを備え、該嵌入誘導面は、前記第一連結部に前記第二連結部を嵌入する際に該第二連結部の内周端縁に摺接して該ロックピンを該第一連結部の内側へ退避誘導し、該解除誘導面は、前記第一係合孔と前記第二係合孔の拘束を解除する際に該第二係合孔の内周端縁に摺接して該ロックピンを該第一連結部の内側へ退避誘導することを特徴とする。
【００１０】
（２）本発明の連結拘束具は、ロックピンを別部材として製作する必要も、複雑な打抜や折曲げをする必要もなく、金属製帯状片の塑性加工により非常に少ない工数で製造可能である。また、その帯状片も、金属板等を短冊状に切断等すれば得られるため、材料を無駄なく使用でき、特殊な打抜型等も不要である。このように本発明によれば、高い材料歩留りを確保しつつ、少ない工数で連結拘束具を製作でき、その製造コストを大幅に抑制できる。
【００１１】
《その他》
本発明でいう「第一」または「第二」は、部材や各部に関する便宜的な呼称であり、適宜、それらを省略して呼称する。例えば、第一脚柱と第二脚柱を特に区別する必要がない場合は、それらの一方または両方を単に脚柱という。他部等についても同様である。
【図面の簡単な説明】
【００１２】
【図１】本発明に係る一実施例である連結拘束具を示す斜視図である。
【図２】その連結拘束具と連結される第一脚柱および第二脚柱とを示す斜視図である。
【図３Ａ】第一脚柱に連結拘束具が装着された様子を示す断面図である。
【図３Ｂ】連結拘束具が装着された第一脚柱に第二脚柱が連結されて拘束されている様子を示す断面図である。
【図４】第一脚柱および第二脚柱に装着された連結拘束具のロックピン周辺を示す拡大断面図である。
【発明を実施するための形態】
【００１３】
本明細書で説明する内容は、本発明の連結拘束具のみならず、その製造方法にも適宜該当し得る。製造方法に関する構成要素は、プロダクトバイプロセスクレームとして理解すれば物に関する構成要素ともなり得る。そして上述した本発明の構成要素に、本明細書中から任意に選択した一つまたは二つ以上の構成要素を付加し得る。いずれの実施形態が最良であるか否かは、対象、要求性能等によって異なる。
【００１４】
《連結拘束具》
本発明の連結拘束具は、基本的に一対のロックピンと、その間を架橋する架橋帯からなる。この連結拘束具は金属製の帯状片を塑性加工してなる。特にロックピンは帯状片の絞り加工により得られ、架橋帯はその曲げ加工により得られる。以下、これらの実施形態について具体的に説明する。
【００１５】
（１）帯状片
帯状片は、その材質を問わないが、高弾性、高（疲労）強度、高延性等を発揮する材質が好ましい。例えば、帯状片が高弾性材であると、連結拘束具を繰り返し使用しても、ロックピンは架橋帯によって脚柱の内周面側から外周面側へ付勢されて安定した突出状態を維持し得る。また、帯状片が高強度材であると、ロックピンは嵌通した脚柱の係合孔から受ける大きな剪断力にも耐え得る。さらに帯状片が高延性材であると、割れ等を生じることなく絞り加工を行え、高い加工性が得られる。このような材質として、例えば、炭素鋼、ばね鋼等の合金鋼、ステンレス鋼等がある。なお、帯状片は、塑性加工後に適当な熱処理が施されてもよい。
【００１６】
帯状片の形状は問わない。短冊状（一方に長い長方形状）等の簡単な形状からなる帯状片を用いることにより、材料歩留りや加工性の向上を図れる。
【００１７】
（２）ロックピン
ロックピンは、帯状片の端部付近を凸状に絞り加工して形成された突起である。この絞り加工を、帯状片の両端部の同じ面側から行うことにより、同方向に突出した一対のロックピンが形成される。この絞り加工後の帯状片を、そのロックピンの背面側が内側になるように曲げ加工すると、各ロックピンが外向きに突出した連結拘束具が得られる。
【００１８】
本発明に係るロックピンは、その具体的な形態を問わないが、第一係合孔や第二係合孔への係合性（装着性）、係合孔に嵌通している際の姿勢安定性、係合孔からの解除性（抜け性）等に適した形状をしていると好ましい。
【００１９】
例えば、ロックピンは、第一連結部に第二連結部を嵌入する際に第二連結部（開口端）の内周端縁に摺接してロックピンを第一連結部の内側へ退避誘導する嵌入誘導面（カム面）を、架橋帯の中央側に備えると好ましい。第二連結部が第一連結部へ嵌入される際、ロックピンは嵌入誘導面を介して自動的に一時退避し、その後に自動的に復帰して、第二係合孔へ自動的に嵌入され、第一脚柱と第二脚柱の連結がロック状態となる。なお、嵌入誘導面は、例えば、適度な勾配を有する平面や曲面により構成できる。その曲面は、第二連結部の内周端縁に沿った曲面であると好ましい。
【００２０】
またロックピンは、第一係合孔と第二係合孔の拘束を解除する際に第二係合孔の内周端縁に摺接してロックピンを第一連結部の内側へ退避誘導する解除誘導面を、架橋帯の長手側に備えると好ましい。連結されていた第一脚柱と第二脚柱を分離する際、第二連結部を第一連結部に対して相対回転させると、ロックピンは解除誘導面（カム面）を介して自動的に退避し、その状態が維持される。こうして第一脚柱と第二脚柱のロック状態は解除され、両脚柱を容易に分離できる。なお、嵌入誘導面も、例えば、適度な勾配を有する平面や曲面により構成できる。その曲面は、第二係合孔の内周端縁に沿った曲面であると好ましい。また解除誘導面は、ロックピンの片側のみに設けても両側に設けてもよい。両側に設けると、第二連結部をどちらの方向に回転させても、連結拘束具による拘束を解除可能となる。
【００２１】
（３）架橋帯
架橋帯は、ほぼ、ロックピン以外の帯状片の残部を曲げ加工してなる。この曲げ形状は、例えば、矩形状でも湾曲状でもよい。このような架橋帯の形状を適宜、略Ｕ字状という。例えば、架橋帯は、略中央に帯状片を湾曲させた湾曲部を有すると形状であるとよい。この湾曲部により架橋帯の可撓範囲が広くなる。また帯状片を湾曲状に曲げる方が、それを矩形状等に曲げるよりも、加工が容易で精度的な許容範囲も広い。
【００２２】
さらに架橋帯に湾曲部を設けた場合、その湾曲部とロックピンの中間に帯状片を屈曲させた屈曲部を備えると好ましい。この屈曲部を設けることにより、屈曲部からロックピンに至る部分（この部分を「前延部」という。）は第一連結部の内周面に沿って、第一連結部の軸方向に延在するようになる。この結果、ロックピンはその軸方向に直交する方向（単に「軸直交方向」という。）へ安定した姿勢で付勢されるようになり、第一係合孔のみならず第二係合孔へも係合し易くなる。逆に、ロックピンが第一連結部内へ退避動する場合、屈曲部が支点となるためロックピンの動きは滑らかである。
【００２３】
架橋帯は、さらに、ロックピンから帯状片の先端側へ延在し、第一係合孔および第二係合孔に嵌通しているロックピンの姿勢を安定させる先延部を有すると好ましい。先延部も前延部と同様に、第一連結部の内周面に沿って、その軸方向に延在した状態となる。このため、係合孔に嵌通しているロックピンに意図しない外力が作用した場合でも、ロックピンはその先延部により回転等が規制されて、軸直交方向の姿勢が安定的に保持される。この結果、連結拘束具は第一脚柱と第二脚柱の連結状態をより確実に拘束（ロック）し得る。
【００２４】
《脚柱》
本発明に係る脚柱は、その具体的な形態を問わない。連結部は筒状（パイプ状）であるが、それに連なる本体部分は必ずしもパイプ状である必要はなく、また連結部の断面形状も円状には限らず方形状等でもよい。もっとも、通常は、全体（連結部および本体）が円管状となっていることが多い。
【００２５】
第二連結部は第一連結部に外嵌されるから、第一連結部の外径は第二連結部の内径にほぼ等しいか、僅かに小さくなっている。第一脚柱と第二脚柱の本体が同径円筒状からなる場合なら、それよりも小径のジョイント管を第一脚柱の端部に固定して第一連結部とし、その第一連結部へ第二脚柱の端部（第二連結部）を嵌入して両者を連結すればよい。
【００２６】
本発明に係る脚柱はその用途を問わないが、連結、分離が可能であるため、例えば建設現場の仮設足場等に適している。その他、暫定的に設置される種々の建築物（仮設ステージ、仮設テント等）にも利用できる。
【実施例】
【００２７】
《連結拘束具》
実施例を挙げて本発明をより具体的に説明する。本発明に係る一実施例である連結拘束具３の斜視図を図１に示した。また、その連結拘束具３を第一脚柱１および第二脚柱２に装着する様子を図２、図３Ａおよび図３Ｂに示した。さらに、第一脚柱１および第二脚柱２に装着した連結拘束具３の一部を拡大した断面図を図４に示した。なお、第一脚柱１および第二脚柱２は、建設現場等で使用される仮設足場の支柱である。
【００２８】
連結拘束具３は、ステンレス鋼板からなる短冊状の帯状片Ｗを冷間で塑性加工してなり、外向きに対向し突出した一対のロックピン３１と、これらロックピン３１間を架橋する架橋帯３３とを備える。なお本明細書では、対称的な一対の部材や部分については、便宜上、その一方のみについて説明する。
【００２９】
ロックピン３１は、略有底円筒的な凸状をしている。具体的には、円筒部３１４と、円筒部３１４から外先端側へ連なる嵌入誘導面３１２と、円筒部３１４から外先端側へ連なると共に嵌入誘導面３１２の左右両側に連なる解除誘導面３１１と、円筒部３１４の下面側から外先端側へ連なる断面円弧状の拘束面３１３とからなる。なお、円筒部３１４の突き出し量は第一脚柱１に固定された第一連結部１１の肉厚と同等程度となっている（図４参照）。
【００３０】
架橋帯３３は、中央部にある湾曲部３３０と、湾曲部３３０からロックピン３１に至る途中に設けられた屈曲部３３２と、湾曲部３３０から屈曲部３３２までを繋ぐ開脚形状の脚部３３１と、屈曲部３３２からロックピン３１を繋ぐ上下方向（軸方向）に延在した前延部３３３と、ロックピン３１から帯状片Ｗの先端部まで上下方向に延在する先延部３３４とからなる。なお、架橋帯３３は可撓性や復元性に富んだ弾性体となっている。
【００３１】
《作用》
次に連結拘束具３の作用を説明する。連結拘束具３は、第一脚柱１の端部に設けられた第一連結部１１内に縮幅されて挿入される（図２および図３Ａ参照）。連結拘束具３の縮幅は、高弾性な脚部３３１を挟圧することにより行える。なお、第一脚柱１および第二脚柱２は、内外径が同一の円管状をしており、第一連結部１１は、第一脚柱１および第二脚柱２の内周側に嵌入される円管状をしている。この第一連結部１１は、第一脚柱１の端部に嵌合された状態で溶接で固定されている。第二脚柱２のうち、その第一連結部１１に嵌合する部分を第二連結部２１という。
【００３２】
縮幅状態の連結拘束具３を第一連結部１１内へ挿入していくと、ロックピン３１が第一連結部１１の第一係合孔１１１に到達したときに、ロックピン３１が第一係合孔１１１に嵌通した状態となる。この際、連結拘束具３の前延部３３３および先延部３３４は第一連結部１１の内周面に当接した状態となり、連結拘束具３が第一連結部１１内に安定的に保持される（図３Ａ参照）。その結果、第一係合孔１１１から軸直交方向へ突出したロックピン３１の姿勢も安定化する。
【００３３】
この状態の第一連結部１１へ、第二脚柱２の第二連結部２１を外嵌していくと、第二連結部２１の開口端の内周端縁がロックピン３１の嵌入誘導面３１２に当接し摺動する。この嵌入誘導面３１２は第二連結部２１の進行方向に傾斜した斜面からなるため、第二連結部２１の進行により、嵌入誘導面３１２には屈曲部３３２を支点とした内向きの回転力が作用する。これにより、ロックピン３１はその回転により第二連結部２１の内部へ退避動する。そして第二係合孔２１１の下端部分がロックピン３１の拘束面３１３を通過すると、ロックピン３１は復帰動し、ロックピン３１は第二係合孔２１１へも嵌通するようになる（図３Ｂ参照）。こうして第一脚柱１と第二脚柱２が第一連結部１１および第二連結部２１により連結されると共に、その連結が連結拘束具３のロックピン３１と第一係合孔１１１および第二係合孔２１１との係合により拘束（ロック）された状態となる。
【００３４】
この際、第二連結部２１の第二係合孔２１１は、軸直交方向に延在した拘束面３１３により上方への移動が確実に規制される。従って、その状態のままでは、第一脚柱１と第二脚柱２が容易に分離されることはない。しかも、第二係合孔２１１に上向き（第一脚柱１と第二脚柱２が分離する向き）の力が作用しても、先延部３３４が第一連結部１１の内周面に当接する（さらには円筒部３１４が第一係合孔１１１に当接する）ことにより、ロックピン３１の回転（図４でいうと左回転）が抑制され、ロックピン３１の姿勢は安定的に維持される。従って、第一脚柱１と第二脚柱２の連結拘束状態は容易には解除されない。
【００３５】
逆に、第一脚柱１と第二脚柱２の連結を解除する場合は、第二連結部２１を右回りまたは左回りに回転させる。すると、第二係合孔２１１の内周端縁がロックピン３１の解除誘導面３１１に当接して摺動する。解除誘導面３１１は、第二連結部２１の回転方向に傾斜した斜面からなるため、第二連結部２１の回転と共に解除誘導面３１１には内向きの回転力が作用し、ロックピン３１はその回転力によって第二連結部２１の内部へ退避動を開始する。そして第二係合孔２１１とロックピン３１の係合がなくなるまで第二連結部２１を回転させると、第二連結部２１の内周面によりロックピン３１は退避状態に保持される。こうして第一脚柱１と第二脚柱２は、ロックピン３１による連結拘束状態が解除されて、分離可能となる。
【００３６】
ところで、このようなロックピン３１の絞り成形は、ロックピン３１の内形状に沿ったポンチと、ロックピン３１の外形状に沿ったキャビティを有するダイスを用いて、帯状片Ｗを加圧成形すれば容易に行える。架橋帯３３の曲げ成形も、その内形状または外形状に沿った成形型を用いて帯状片Ｗを加圧成形すれば容易に行える。なお、ロックピン３１の絞り加工と架橋帯３３の曲げ加工の順序は問わないが、通常はロックピン３１の絞り加工後に架橋帯３３の曲げ加工を行うと効率的である。
【００３７】
なお、各塑性加工は冷間状態で行うことができるが、温間状態または熱間状態で行ってもよい。また加工後に、適宜、各種の熱処理を施して、連結拘束具３の機械的特性や金属組織を調整してもよい。
【００３８】
このように本発明の連結拘束具を用いれば、製造コストを抑制しつつ、脚柱間同士の連結および拘束を確実に行える。
【符号の説明】
【００３９】
１      第一脚柱
１１    第一連結部
１１１  第一係合孔
２      第二脚柱
２１    第二連結部
２１１  第二係合孔
３      連結拘束具
３１    ロックピン
３３    架橋帯
３３０  湾曲部
３３２  屈曲部
３３４  先延部
Ｗ      帯状片
【図１】
0005912862.tif 000002
【図２】
0005912862.tif 000003
【図３Ａ】
0005912862.tif 000004
【図３Ｂ】
0005912862.tif 000005
【図４】
0005912862.tif 000006